(57)【要約】【課題】自動的に所望のクロックを決定し、伝送路より受信したクロックに対して同期したクロックを光受信器へのリファレンスクロックとして供給することを目的とする。【解決手段】所定のネットワークのデータを複数のフレームとして上記所定のネットワークとは異なるネットワークへ中継する中継伝送装置において、上記複数のフレームを受信する光受信器７と、上記光受信器７により受信された上記複数のフレームから上記複数のフレームの同期パターンを監視し、監視された上記複数のフレームの同期パターンに基づいて、上記受信器へ供給するための供給クロックを調整することにより同期クロックを決定し、決定された同期クロックをフレーム同期が確立できるリファレンスクロックとして受信器に供給するリファレンスクロック供給部とを備えたことを特徴とする。【選択図】        図１
2004201119.tif 000002
【特許請求の範囲】
【請求項１】
所定のネットワークのデータを複数のフレームとして上記所定のネットワークとは異なるネットワークへ中継する中継伝送装置において、
上記複数のフレームを受信する受信器と、
上記受信器により受信された上記複数のフレームから上記複数のフレームの同期パターンを監視し、監視された上記複数のフレームの同期パターンに基づいて、上記受信器へ供給するための供給クロックを調整することにより同期クロックを決定し、決定された同期クロックをフレーム同期が確立できるリファレンスクロックとして受信器に供給するリファレンスクロック供給部と
を備えたことを特徴とする中継伝送装置。
【請求項２】
所定のネットワークのデータを複数のフレームとして上記所定のネットワークとは異なるネットワークへ中継する中継伝送装置において、
上記複数のフレームを受信する受信器と、
上記受信器により受信された複数のフレームから上記複数のフレームの同期パターンを検出し、検出された上記複数のフレームの同期パターンを同期パターン情報として出力するフレーム同期検出部と、
上記フレーム同期検出部により検出された上記複数のフレームの同期パターンに基づいて、クロック周波数を制御するクロック制御信号とクロック分周比の制御を促すクロック分周制御指示信号とを生成するクロック制御部と、
上記クロック制御部により生成されたクロック分周制御指示信号を入力し、入力されたクロック分周制御指示信号に基づいて、クロック分周比を制御し、制御されたクロック分周比をクロック分周比情報として出力するクロック分周制御部と、
上記クロック制御部により生成されたクロック制御信号に基づいて、基本クロックを供給するクロック供給部と、
上記クロック分周制御部により制御されたクロック分周比で、上記クロック供給部により供給された基本クロックを分周し、分周された基本クロックを上記受信器へ出力するクロック分周部と
を備えたことを特徴とする中継伝送装置。
【請求項３】
上記中継伝送装置は、さらに、上記フレーム同期検出部により出力された上記複数のフレームの同期パターン情報と上記クロック分周制御部により出力されたクロック分周比情報と上記クロック制御部により生成されたクロック制御信号とを保持する保持部を備え、
上記フレーム同期検出部は、上記受信器が、上記複数のフレームの受信を中断し、中断された上記複数のフレームの受信を再開した場合に、上記受信器により再度受信された複数のフレームから上記複数のフレームの同期パターンを検出する代わりに、上記保持部により保持された上記複数のフレームの同期パターン情報の上記複数のフレームの同期パターンを用い、
上記クロック制御部は、上記受信器が、上記複数のフレームの受信を中断し、中断された上記複数のフレームの受信を再開した場合に、生成するクロック制御信号の代わりに、上記保持部により保持されたクロック制御信号を用い、
上記クロック分周制御部は、上記受信器が、上記複数のフレームの受信を中断し、中断された上記複数のフレームの受信を再開した場合に、制御するクロック分周比の代わりに、上記保持部により保持されたクロック分周比情報を用い、
上記クロック供給部は、上記受信器が、上記複数のフレームの受信を中断し、中断された上記複数のフレームの受信を再開した場合に、上記クロック制御部により用いられた、上記保持部により保持されたクロック制御情報に基づいて、基本クロックを供給し、
上記クロック分周部は、上記受信器が、上記複数のフレームの受信を中断し、中断された上記複数のフレームの受信を再開した場合に、上記クロック分周制御部により用いられた、上記保持部により保持されたクロック分周比情報のクロック分周比で、上記クロック供給部により供給された基本クロックを分周し、分周された基本クロックを上記受信器へ出力することを特徴とする請求項２記載の中継伝送装置。
【請求項４】
上記クロック供給部は、所望のクロック周波数で発振する所定の周波数範囲を持つ１つの電圧制御発振器を有し、上記１つの電圧制御発振器により、上記基本クロックを生成することを特徴とする請求項２記載の中継伝送装置。
【請求項５】
上記クロック供給部は、複数の固定発振器を有し、上記クロック制御部により生成されたクロック制御信号に基づいて、上記複数の固定発振器から発振する複数のクロックより所望クロックを選択することによって上記基本クロックを生成することを特徴とする請求項２記載の中継伝送装置。
【請求項６】
上記中継伝送装置は、さらに、上記クロック制御部により生成された上記複数のクロックの内１つを選択する選択信号を有するクロック制御信号を保持する保持部を備え、
上記クロック制御部は、上記受信器が、上記複数のフレームの受信を中断し、中断された上記複数のフレームの受信を再開した場合に、生成するクロック制御信号の代わりに、上記保持部により保持されたクロック制御信号を用い、
上記クロック供給部は、上記受信器が、上記複数のフレームの受信を中断し、中断された上記複数のフレームの受信を再開した場合に、上記クロック制御部により用いられた、上記保持部により保持されたクロック制御情報に基づいて、上記複数のクロックの内１つを選択し、選択されたクロックを基本クロックとして供給することを特徴とする請求項５記載の中継伝送装置。
【請求項７】
所定のネットワークのデータを複数のフレームとして上記所定のネットワークとは異なるネットワークへ中継する中継伝送方法において、
上記複数のフレームを受信器に受信する受信工程と、
上記受信工程により受信された上記複数のフレームから上記複数のフレームの同期パターンを監視し、監視された上記複数のフレームの同期パターンに基づいて、上記受信器へ供給するための供給クロックを調整することにより同期クロックを決定し、決定された同期クロックをフレーム同期が確立できるリファレンスクロックとして受信器に供給するリファレンスクロック供給工程と
を備えたことを特徴とする中継伝送方法。
【請求項８】
所定のネットワークのデータを複数のフレームとして上記所定のネットワークとは異なるネットワークへ中継する中継処理をコンピュータに実行させるプログラムであって、
上記複数のフレームを受信器に受信する受信処理と、
上記受信処理により受信された上記複数のフレームから上記複数のフレームの同期パターンを監視し、監視された上記複数のフレームの同期パターンに基づいて、上記受信器へ供給するための供給クロックを調整することにより同期クロックを決定し、決定された同期クロックをフレーム同期が確立できるリファレンスクロックとして受信器に供給するリファレンスクロック供給処理と
をコンピュータに実行させるプログラム。
【発明の詳細な説明】
【０００１】
【発明の属する技術分野】
本発明は、所定のネットワークのデータを複数のフレームとして上記所定のネットワークとは異なるネットワークへ中継する中継伝送装置及び中継伝送方法に関する。
また、本発明は、ＳＤＨ／ＳＯＮＥＴ（Ｓｙｎｃｈｒｏｎｏｕｓ  Ｄｉｇｉｔａｌ  Ｈｉｅｒａｒｃｈｙ／Ｓｙｎｃｈｒｏｎｏｕｓ  Ｏｐｔｉｃａｌ  Ｎｅｔｗｏｒｋ）ネットワークやイーサネット（登録商標）（Ｅｔｈｅｒｎｅｔ（登録商標））のような都市域のネットワークと、都市域ネットワーク上のデータをＷＤＭ（Ｗａｖｅｌｅｎｇｔｈ  Ｄｉｖｉｓｉｏｎ  Ｍｕｌｔｉｐｌｅｘｉｎｇ、波長分割多重）にて多重化し、都市域間を中継するような伝送装置における、光受信器へのリファレンスクロックを供給する方式に関するものであり、伝送路からの受信クロックに対する同期方式に関するものである。
【０００２】
【従来の技術】
従来技術では、特定の固定発振器を備えることにより、所望の周波数を生成し、リファレンスクロックとして使用している。（非特許文献１参照）
【０００３】
【非特許文献１】
データシート（ＩＸＦ３０００７  Ｅｎｈａｎｃｅｄ  Ｄｉｇｉｔａｌ  Ｗｒａｐｐｅｒ  ｆｏｒ  Ｕｌｔｒａ  Ｌｏｎｇ−Ｈａｕｌ  Ｔｒａｎｓｍｉｓｓｉｏｎ  Ｓｙｓｔｅｍｓ  Ｐｒｏｄｕｃｔ  Ｂｒｉｅｆ）、Ｉｎｔｅｌ社
【０００４】
【発明が解決しようとする課題】
１０Ｇｂｉｔ／ｓを超える一般的な光受信器は、光ファイバを接続しただけでは伝送路からの受信クロックに同期することができず、信号を受信することができないため、受信のためのリファレンスとなるクロックを供給する必要がある。
【０００５】
従来のＳＤＨ／ＳＯＮＥＴネットワークやイーサネット（登録商標）のような都市域のネットワークと、都市域ネットワーク上のデータをＷＤＭにて多重化し、都市域間を中継するような伝送装置においては、ＳＤＨ／ＳＯＮＥＴネットワーク用のクロックとイーサネット（登録商標）用のクロックでは周波数が異なるため、両者を収容するには、各々の周波数に合った発振器が必要となる。
【０００６】
非特許文献１に記載の技術では、周波数が異なるネットワークのデータを収容する場合、ネットワークに合わせた発振器に交換するか、対応した発振器を複数備えることにより、いずれかの発振器を監視システムのオペレータ等からのソフトウェア（Ｓ／Ｗ）設定または伝送装置の設置場所に赴いている保守員による基板上のディップスイッチ等のハードウェア（Ｈ／Ｗ）設定によりクロックを選択する必要がある。
しかし、従来の同期方式では、ＳＤＨ／ＳＯＮＥＴネットワーク用のクロック発振器およびイーサネット（登録商標）用のクロック発振器など、対向するネットワークに従ってクロックレートの異なる発振器が複数必要となり、部品数が多くなるという問題点があった。
【０００７】
また、従来の同期方式では、ネットワークシステム建設時、対向する伝送装置が送信するデータ種別やクロックレート毎に、伝送装置の設置場所に赴いている保守員により適宜設定する必要があり、設定のための時間や作業負荷がかかるという問題点があった。また、伝送装置の障害からの回復時においても、クロック選択のため再設定の処理が必要となり、設定のための時間や作業負荷がかかる。
【０００８】
また、保守員の設定ミス等による人為的な設定ミスのため誤ったクロックが選択され、回線障害が発生する可能性があった。
【０００９】
この発明は、光受信器により受信したデータからフレーム同期パターンを検出することにより、フレーム同期を確立するクロック同期方式であり、フレーム同期パターンが検出されるまで、供給クロックを変更していくことにより、自動的に所望のクロックを決定し、伝送路より受信したクロックに対して同期したクロックを光受信器へのリファレンスクロックとして供給することを目的とする。
【００１０】
また、同期クロックの供給を１つの発振器で提供することを可能とし、発振器等の部品数を削減することを目的とする。
【００１１】
また、クロック選択の自動化により設定のための作業負荷や時間を削減し、クロック選択設定の誤りなど人為ミスを防ぐことを目的とする。
【００１２】
【課題を解決するための手段】
この発明に係る中継伝送装置は、所定のネットワークのデータを複数のフレームとして上記所定のネットワークとは異なるネットワークへ中継する中継伝送装置において、
上記複数のフレームを受信する受信器と、
上記受信器により受信された上記複数のフレームから上記複数のフレームの同期パターンを監視し、監視された上記複数のフレームの同期パターンに基づいて、上記受信器へ供給するための供給クロックを調整することにより同期クロックを決定し、決定された同期クロックをフレーム同期が確立できるリファレンスクロックとして受信器に供給するリファレンスクロック供給部と
を備えたことを特徴とする。
【００１３】
【発明の実施の形態】
実施の形態１．
図１は、実施の形態１における構成を示す図である。
図において、中継伝送装置は、リファレンスクロック供給部、光受信器７を備えている。リファレンスクロック供給部は、フレーム同期検出部１、クロック制御部２、クロック分周制御部３、クロック供給部４、クロック分周部５、同期情報保持部６を有している。
【００１４】
中継伝送装置は、所定のネットワークのデータを複数のフレームとして上記所定のネットワークとは異なるネットワークへ中継する。
光受信器７は光信号を受信する。言い換えると、受信器の一例として、光受信器７は、上記複数のフレームを受信する。
リファレンスクロック供給部は、上記受信器により受信された上記複数のフレームから上記複数のフレームの同期パターンを監視し、監視された上記複数のフレームの同期パターンに基づいて、上記受信器へ供給するための供給クロックを調整することにより同期クロックを決定し、決定された同期クロックをフレーム同期が確立できるリファレンスクロックとして受信器に供給する。
以下に、さらに、詳述する。
フレーム同期検出部１は光受信器７にて受信した信号からフレームの同期パターンを検出し、フレーム同期を確認する。言い換えれば、フレーム同期検出部１は、上記受信器により受信された複数のフレームから上記複数のフレームの同期パターンを検出し、検出された上記複数のフレームの同期パターンを同期パターン情報として出力する。
クロック制御部２はフレーム同期検出部１から通知される同期検出信号によって光受信器７への基本クロックを制御する。クロック制御部２は、上記フレーム同期検出部１により検出された上記複数のフレームの同期パターンに基づいて、クロック周波数を制御するクロック制御信号とクロック分周比の制御を促すクロック分周制御指示信号とを生成する。
クロック分周制御部３はクロック制御部２からの制御情報に基づいて光受信器７へのクロック分周比を制御する。クロック分周制御部３は、上記クロック制御部２により生成されたクロック分周制御指示信号を入力し、入力されたクロック分周制御指示信号に基づいて、クロック分周比を制御し、制御されたクロック分周比をクロック分周比情報として出力する。
クロック供給部４はクロック制御部２からの制御情報に基づいて基本クロックを供給する１つの電圧制御発振器を備えている。言い換えると、クロック供給部４は、所望のクロック周波数で発振する所定の周波数範囲を持つ１つの電圧制御発振器を有し、上記１つの電圧制御発振器により、上記基本クロックを生成する。クロック供給部４は、上記クロック制御部２により生成されたクロック制御信号に基づいて、基本クロックを供給する。
クロック分周部５はクロック分周制御部からの制御情報に基づいて基本クロックを分周する。言い換えると、クロック分周部５は、上記クロック分周制御部３により制御されたクロック分周比で、上記クロック供給部により供給された基本クロックを分周し、分周された基本クロックを上記受信器へ出力する。
同期情報保持部６はクロック制御部およびクロック分周制御部にてフレーム同期確立後のクロック情報を保持する。
【００１５】
ＳＤＨ／ＳＯＮＥＴネットワークやイーサネット（登録商標）のような主に都市域にて利用されるネットワークと、都市域ネットワーク上のデータをＷＤＭにて多重化し、都市域間を中継するような伝送装置において、光受信器７にて受信したＳＤＨ／ＳＯＮＥＴフレームまたはＭＡＣフレーム等の信号をフレーム同期検出部１にて受信し、受信した信号からフレーム同期パターンを検出することによって光受信器７への供給クロックを決定する。このようなフレーム同期の監視により１つの供給クロックを制御することによって、伝送路からの受信クロックに対して自動的にフレーム同期が確立できるリファレンスクロックを光受信器７に供給するクロック同期方式の動作について説明する。
図２は、ＳＤＨ（ＳＴＭ−１、Ｓｙｎｃｈｒｏｎｏｕｓ  ＴｒａｎｓｐｏｒｔＭｏｄｕｌｅ）のフレームフォーマットを示す図である。
図３は、Ｄ／Ａ（Ｄｉｇｉｔａｌ  ｔｏ  Ａｎａｌｏｇ）コンバータの制御信号と出力電圧の関係を示す図（制御信号が４ビットのときの例）である。
図４は、電圧制御発振器（ＶＣＯ：  Ｖｏｌｔａｇｅ  Ｃｏｎｔｒｏｌｌｅｄ
Ｏｓｃｉｌｌａｔｏｒ）の制御電圧と出力周波数の関係を示す図である。
図５は、実施の形態１における動作を示すフローチャート図である。
【００１６】
この実施の形態では、光受信器７のリファレンスクロックを変更し、光受信器７が受信したデータがフレーム同期を確立するまでの動作について説明する。
【００１７】
まず、ステップＳ１０１において、伝送装置に光ファイバを接続し、光信号の受信を確認する。光信号の受信がなければ、光信号を受信するまで待機する。光信号の受信の有無については、光受信器７は光信号の受信がなければ光信号入力断（ＬＯＳ：Ｌｏｓｓ  ｏｆ  Ｓｉｇｎａｌ）警報を出力するため、フレーム同期検出部１はこの警報を監視することにより確認することができる。
【００１８】
次にステップＳ１０２において、フレーム同期検出部１はフレーム同期パターンを検出し、フレーム同期パターン検出有無をクロック制御部２へ通知する。フレーム同期パターンが検出できなければ、フレーム同期が確立できていないと判断し、後段のステップにてクロック調整を行う。フレーム同期パターンは、ＳＤＨ／ＳＯＮＥＴネットワークの場合、図２のようなフレーム構成によりデータが送信され、フレームの先頭にＡ１（“１１１１０１１０”）およびＡ２（“００１０１０００”）の固定ビットパターンが定義されている（図２のＳＴＭ−１の例では、Ａ１、Ａ２はおのおの３バイトの計６バイト使用できるように定義されている）。したがって、このバイトを確認することにより、フレーム同期パターンを検出することができる。なお、ＳＤＨ／ＳＯＮＥＴネットワーク以外にもイーサネット（登録商標）やＦＥＣ（Ｆｏｒｗａｒｄ  Ｅｒｒｏｒ  Ｃｏｒｒｅｃｔｉｏｎ）を使ったネットワークなどフレーム構成を利用しているネットワークについても、同様にフレーム同期パターンの検出が行える。
【００１９】
次にステップＳ１０３において、クロック分周制御部３はクロック制御部２よりクロック分周要求の通知を受信した後、分周比となる候補を確認する。分周する比率は、２分周、４分周、８分周等複数の分周比の候補を用意しておき、クロック制御部２の要求毎にこの候補に対して順次分周を行い、一連の分周比の候補が終了するまで変更するようクロック分周部５を制御する（ステップＳ１０４）。
なお、伝送装置の起動直後は、規定値となるクロックがクロック供給部４から供給されているものとする。
【００２０】
次にステップＳ１０５において、クロック制御部２はクロック分周制御部３から分周候補終了通知を受信した後、供給クロックの候補を確認する。供給クロック候補は、ＳＤＨ／ＳＯＮＥＴ用クロック６２２．０８ＭＨｚ、イーサネット（登録商標）用クロック６４４．５３１ＭＨｚ等複数の候補を用意しておくことにより、多様なネットワークに対応する。候補となる供給クロックが終了したときは、最初のステップからやり直す。
【００２１】
次にステップＳ１０６において、クロック制御部２はクロック供給部４を制御し、供給クロックを変更する。供給クロックの変更は、図４のＶＣＯの制御電圧とクロックの関係から、候補となる周波数を発振するための制御電圧を、クロック制御部２から図４の特性に基づき所望の制御電圧を出力する制御信号をＤ／Ａコンバータに与え、その後、Ｄ／Ａコンバータから制御電圧を、ＶＣＯを備えるクロック供給部４へ出力することにより供給クロックを変更する。例えば、図３および図４より、クロック供給部４から周波数ｆ１を出力させる場合は、制御電圧Ｖ１が必要になるため、クロック制御部２はＶ１を出力する制御信号“０００１”をＤ／Ａコンバータに与えることにより、クロックを制御する。したがって、クロック制御部２は、候補となるクロックを供給するための制御電圧を出力する制御情報を保持し、制御情報を変更することにより、供給クロックとなる周波数を変更する。
【００２２】
次にステップＳ１０７において、フレーム同期検出部１が同期パターンを検出したときは、フレーム同期が確立できたと判断し、フレーム同期パターンの検出をクロック制御部２に通知する。
ステップＳ１０８において、フレーム同期パターン検出通知を受信したクロック制御部２は、クロック分周制御部３にフレーム同期パターン検出を通知するとともに、フレーム同期が確立できた供給クロックの情報を同期情報保持部６へ格納する。同様に、フレーム同期パターン検出通知を受信したクロック分周制御部３はクロックの分周比の情報を同期情報保持部６へ格納する。なお、このときクロック制御部２はクロック分周の要求は行わないため、クロックの調整はしない。
【００２３】
以上のように、光受信器７にて受信したＳＤＨ／ＳＯＮＥＴフレームまたはＭＡＣフレーム等の信号をフレーム同期検出部１にて受信し、受信した信号からフレーム同期パターンを検出することによって光受信器７への供給クロックを決定する。このようなフレーム同期の監視により１つの電圧制御発振器を備えるクロック供給部４を制御することによって伝送路からの受信クロックに対して自動的にフレーム同期を確立したリファレンスクロックを光受信器７に供給することができるため、保守員または監視システムのオペレータ等による設定のための作業負荷や時間を削減し、クロック選択設定の誤りなど人為ミスを防ぐことができる。
【００２４】
また、所望の周波数範囲を満たす周波数範囲の広い電圧制御発振器１つのみで供給クロックを変更することにより、発振器やクロックのセレクタ等の部品数を削減することができる。
【００２５】
また、フレーム同期パターンの検出と周波数範囲の広い電圧制御発振器による本方式により、ＳＤＨ／ＳＯＮＥＴネットワーク以外にもイーサネット（登録商標）やＦＥＣを使ったフレーム構成を採用する多様なネットワークに対応することができる。
【００２６】
以上のように、本実施の形態は、ＳＤＨ／ＳＯＮＥＴネットワークやイーサネット（登録商標）のような都市域に利用されるネットワークと、都市域ネットワーク上のデータをＷＤＭにて多重化し、都市域間を中継するような伝送装置において、
光受信器にて受信した信号からフレームの同期パターンを検出し、フレーム同期を確立するフレーム同期検出部と、フレーム同期検出部から通知される同期検出信号にて光受信器への基本クロックを制御するクロック制御部と、クロック制御部からの制御情報に基づいて光受信器へのクロック分周比を制御するクロック分周制御部と、クロック制御部からの制御情報に基づいて基本クロックを供給するクロック供給部と、クロック分周制御部からの制御情報に基づいて基本クロックを分周するクロック分周部と、クロック制御部およびクロック分周制御部にてフレーム同期確定後のクロック情報を保持する同期情報保持部とを備えたことを特徴とする。
また、本実施の形態におけるクロック同期方式は、光受信器７にて受信したＳＤＨ／ＳＯＮＥＴフレームまたはＭＡＣ（Ｍｅｄｉａ  Ａｃｃｅｓｓ  Ｃｏｎｔｒｏｌ）フレーム等の信号をフレーム同期検出部１にて受信し、受信した信号からフレーム同期パターンを検出することによってフレーム同期または非同期の情報を通知し、フレーム同期検出部１から通知された同期検出信号に基づいてクロック制御部２は光受信器７への基本クロックを発振するクロック供給部４を制御し、供給クロックを調整することにより同期クロックを決定するような、フレーム同期の監視により供給クロックを制御し、伝送路からの受信クロックに対して自動的にフレーム同期が確立できるリファレンスクロックを光受信器に供給することを特徴とする。
また、前記クロック同期方式は、クロック供給部を制御し、所望のクロックを周波数範囲の広い１つの電圧制御発振器により、光受信器へのリファレンスとなるクロックを生成することを特徴とする。
また、前記クロック同期方式は、クロック制御部２とクロック分周制御部３によって、クロック分周部５を制御することにより、クロック供給部４から生成された基本クロックを分周し、光受信器へのリファレンスとなるクロックを生成することを特徴とする。
【００２７】
実施の形態２．
以上の実施の形態１は、ＳＤＨ／ＳＯＮＥＴネットワークやイーサネット（登録商標）のような主に都市域にて利用されるネットワークと、都市域ネットワーク上のデータをＷＤＭにて多重化し、都市域間を中継するような伝送装置において、光受信器７にて受信したＳＤＨ／ＳＯＮＥＴフレームまたはＭＡＣフレーム等の信号をフレーム同期検出部１にて受信し、受信した信号からフレーム同期パターンを検出することによって光受信器７への供給クロックを決定する。このようなフレーム同期の監視により１つの電圧制御発振器を備えるクロック供給部４を制御することによって、伝送路からの受信クロックに対して自動的にフレーム同期が確立できるリファレンスクロックを光受信器７に供給する通常起動時の動作であるが、次にフレーム同期確立後、光ファイバ等の障害により光信号が受信できなくなった後、光信号が回復したときのリファレンスクロックを光受信器７へ再供給するとき（フレーム同期）の動作について説明する。各構成は、図１と同様である。
【００２８】
保持部の一例として、同期情報保持部６は、上記フレーム同期検出部１により出力された上記複数のフレームの同期パターン情報と上記クロック分周制御部３により出力されたクロック分周比情報と上記クロック制御部２により生成されたクロック制御信号とを保持する。
上記フレーム同期検出部１は、上記受信器の一例である光受信器７が、上記複数のフレームの受信を中断し、中断された上記複数のフレームの受信を再開した場合に、上記受信器により再度受信された複数のフレームから上記複数のフレームの同期パターンを検出する代わりに、上記保持部により保持された上記複数のフレームの同期パターン情報の上記複数のフレームの同期パターンを用いる。
上記クロック制御部２は、上記受信器が、上記複数のフレームの受信を中断し、中断された上記複数のフレームの受信を再開した場合に、生成するクロック制御信号の代わりに、上記保持部により保持されたクロック制御信号を用いる。
上記クロック分周制御部３は、上記受信器が、上記複数のフレームの受信を中断し、中断された上記複数のフレームの受信を再開した場合に、制御するクロック分周比の代わりに、上記保持部により保持されたクロック分周比情報を用いる。
上記クロック供給部４は、上記受信器が、上記複数のフレームの受信を中断し、中断された上記複数のフレームの受信を再開した場合に、上記クロック制御部２により用いられた、上記保持部により保持されたクロック制御情報に基づいて、基本クロックを供給する。
上記クロック分周部５は、上記受信器が、上記複数のフレームの受信を中断し、中断された上記複数のフレームの受信を再開した場合に、上記クロック分周制御部３により用いられた、上記保持部により保持されたクロック分周比情報のクロック分周比で、上記クロック供給部４により供給された基本クロックを分周し、分周された基本クロックを上記受信器へ出力する。
【００２９】
図６は、実施の形態２における動作を示すフローチャート図である。
まずステップＳ２０１において、光信号が障害から回復したとき、フレーム同期検出部１は光受信器７のＬＯＳ警報出力が停止することにより光信号が回復したことを判定する。
【００３０】
次にステップＳ２０２において、フレーム同期検出部１から光信号の回復がクロック制御部２に通知されたとき、クロック制御部２は同期情報保持部６に同期情報が格納されているかを確認するとともに、クロック分周制御部３へ光信号の回復（クロック分周要求）を通知する。同期情報が格納されていないときは、通常起動時の処理を行い、フレーム同期を監視することによりリファレンスクロックの周波数を調整する。詳細は実施の形態１と同様である。
【００３１】
次にステップＳ２０３において、クロック分周制御部３は同期情報保持部６から分周比情報を読み出す。
【００３２】
次にステップＳ２０４において、同期情報保持部６に格納された同期情報に基づき、クロック分周部５を制御し、分周比を変更することにより供給クロックを分周する。
【００３３】
次にステップＳ２０５において、クロック制御部２は同期情報保持部６から供給クロック情報を読み出す。
【００３４】
次にステップＳ２０６において、同期情報保持部６に格納された同期情報に基づき、クロック供給部４を制御することにより、供給クロックの周波数を変更する。
【００３５】
ステップＳ２０７において、本装置は、クロック分周比と供給クロックを障害前の状態に戻したことにより、フレーム同期が確立できる。フレーム同期が確立できないときは、通常起動時の処理を行い、フレーム同期を監視することによりリファレンスクロックの周波数を調整する。詳細は実施の形態１と同様である。
【００３６】
以上のように、フレーム同期確立後、光ファイバ等の障害により光信号が受信できなくなった後、光信号が回復したときは、予め主信号障害前の情報を同期情報保持部６にて保持しておくことにより、クロック制御部２およびクロック分周制御部３は保持された同期情報を読み出し、伝送路からの受信クロックに対する同期確立時間を短縮することができる。
【００３７】
また、光信号の障害からの回復時においても、保守員または監視システムのオペレータ等による設定のための作業負荷や時間を削減し、クロック選択設定の誤りなど人為ミスを防ぐことができる。
【００３８】
以上のように、本実施の形態におけるクロック同期方式は、フレーム同期の監視によって供給クロックを制御し、自動的に同期を確立した後、同期クロックおよび分周クロックの情報を同期情報保持部６により保持し、光ファイバケーブル切断時等による主信号の障害からの回復時、同期情報保持部６に格納した主信号障害前の情報をクロック制御部２およびクロック分周制御部３が読み出すことにより、保持されたクロック情報にて同期を確立し、伝送路からの受信クロックに対する同期確立時間を短縮することを特徴とする。
【００３９】
実施の形態３．
図７は、実施の形態３における構成を示す図である。
図において、クロック制御部２は、実施の形態１とは異なり、Ｄ／Ａコンバータは使用しないで、フレーム同期検出部１から通知される同期検出信号にて光受信器７への基本クロックを制御する、
クロック供給部４はクロック制御部２からの制御情報に基づいて基本クロックを供給する複数の固定発振器とセレクタを備えた。クロック供給部４は、複数の固定発振器を有し、上記クロック制御部２により生成されたクロック制御信号に基づいて、上記複数の固定発振器から発振する複数のクロックより所望クロックを選択することによって上記基本クロックを生成する。
その他の構成は、実施の形態１と同様である。
【００４０】
上記実施の形態２では、フレーム同期確立後、光ファイバ等の障害により光信号が受信できなくなった後、光信号が回復したときのリファレンスクロックを光受信器７へ供給するときの動作であるが、次に通常起動時において光受信器７のリファレンスクロックを変更し、光受信器７が受信したデータよりフレーム同期が確立するまでの動作として、クロック供給部４が電圧制御発振器ではなく、複数の固定発振器（ＯＳＣ：Ｏｓｃｉｌｌａｔｏｒ）を備えることにより、固定発振器から出力される複数の周波数を選択することによってリファレンスクロックを光受信器７へ供給するときの動作について説明する。この実施の形態は、図７と図５とを利用しながら説明する。
【００４１】
ステップＳ１０６以外の動作は、実施の形態１と同様であるため、ここでは説明を省略する。
【００４２】
ステップＳ１０６において、クロック制御部２によってクロック供給部４を制御し、供給クロックを変更する。供給クロックの変更はクロック供給部４において、ＳＤＨ／ＳＯＮＥＴ用クロック６２２．０８ＭＨｚ、イーサネット（登録商標）用クロック６４４．５３１ＭＨｚ等、用途に対応した複数の候補を用意しておき、クロック制御部２は、候補となる周波数をセレクタの制御によって順次選択していくことにより、供給クロックを変更する。
【００４３】
以上のように、クロック供給部４が電圧制御発振器ではなく、複数の固定発振器を備えることにより、固定発振器から出力される複数の発振周波数を選択することによっても光受信器７への供給クロックを制御することができる。実施の形態１と同様、このようなフレーム同期の監視により、伝送路からの受信クロックに対して自動的にフレーム同期を確立したリファレンスクロックを光受信器７に供給することができるため、保守員または監視システムのオペレータ等による設定のための作業負荷や時間を削減し、クロック選択設定の誤りなど人為ミスを防ぐことができる。
【００４４】
また、フレーム同期パターンの検出と複数の固定発振器を備えるクロック同期方式により、ＳＤＨ／ＳＯＮＥＴネットワーク以外にもイーサネット（登録商標）やＦＥＣを使ったフレーム構成を採用する多様なネットワークに対応することができる。
【００４５】
以上のように、本実施の形態におけるクロック同期方式は、複数の固定発振器を備え、クロック制御部によって複数の固定発振器からのクロックより所望クロックを選択し、伝送路からの受信クロックに対して自動的に同期を確立することを特徴とする。
【００４６】
実施の形態４．
上記実施の形態３では、クロック供給部４が電圧制御発振器ではなく、複数の固定発振器を備えることにより、固定発振器から出力される複数の周波数を選択することによってリファレンスクロックを光受信器７へ供給するときの通常起動時の動作であるが、次にフレーム同期確立後、光ファイバ等の障害により光信号が受信できなくなった後、光信号が回復したときのリファレンスクロックを光受信器７へ供給するとき（フレーム同期）の動作について説明する。
【００４７】
保持部の一例として、同期情報保持部６は、上記クロック制御部２により生成された上記複数のクロックの内１つを選択する選択信号を有するクロック制御信号を保持する。
上記クロック制御部２は、上記受信器が、上記複数のフレームの受信を中断し、中断された上記複数のフレームの受信を再開した場合に、生成するクロック制御信号の代わりに、上記保持部により保持されたクロック制御信号を用いる。
上記クロック供給部４は、上記受信器が、上記複数のフレームの受信を中断し、中断された上記複数のフレームの受信を再開した場合に、上記クロック制御部２により用いられた、上記保持部により保持されたクロック制御情報に基づいて、上記複数のクロックの内１つを選択し、選択されたクロックを基本クロックとして供給する。
【００４８】
言い換えれば、クロック供給部４が電圧制御発振器ではなく、複数の固定発振器を備えた構成においても、フレーム同期確立後、クロック制御部２およびクロック分周制御部３は同期情報を同期情報保持部６に格納し、光ファイバ等障害発生からの回復時、障害前の同期情報を同期情報保持部６から読み出すことにより、固定発振器から出力される複数の発振周波数の選択によってリファレンスクロックを光受信器７へ供給する。詳細な動作は、実施の形態２と同様である。
【００４９】
以上のように、クロック供給部４が電圧制御発振器ではなく、複数の固定発振器を備えた構成においても、実施の形態２と同様、光信号の障害復旧時は、予め主信号障害前の情報を同期情報保持部６にて保持しておき、クロック制御部２およびクロック分周制御部３は保持された同期情報を読み出すことにより、伝送路からの受信クロックに対する同期確立時間を短縮することができる。
【００５０】
以上の実施の形態の説明において「〜部」として説明したものは、一部或いはすべてコンピュータで動作可能なプログラムにより構成することができる。これらのプログラムは、例えば、Ｃ言語により作成することができる。或いは、ＨＴＭＬやＳＧＭＬやＸＭＬを用いても構わない。或いは、ＪＡＶＡ（登録商標）を用いて画面表示を行っても構わない。
また、実施の形態の説明において「〜部」として説明したものは、ＲＯＭ（Ｒｅａｄ  Ｏｎｌｙ  Ｍｅｍｏｒｙ）に記憶されたファームウェアで実現されていても構わない。或いは、ソフトウェア或いは、ハードウェア或いは、ソフトウェアとハードウェアとファームウェアとの組み合わせで実施されても構わない。
また、上記各実施の形態を実施させるプログラムは、記録媒体に記録される。記録媒体は、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いても構わない。
【００５１】
【発明の効果】
本発明によれば、光受信器により受信したデータからフレーム同期パターンを検出することにより、フレーム同期を確立するクロック同期方式であり、フレーム同期パターンが検出されるまで、供給クロックを変更していくことにより、自動的に所望のクロックを決定し、伝送路より受信したクロックに対して同期したクロックを光受信器へのリファレンスクロックとして供給することができる。
【図面の簡単な説明】
【図１】実施の形態１における構成を示す図である。
【図２】ＳＤＨ（ＳＴＭ−１、Ｓｙｎｃｈｒｏｎｏｕｓ  Ｔｒａｎｓｐｏｒｔ  Ｍｏｄｕｌｅ）のフレームフォーマットを示す図である。
【図３】Ｄ／Ａ（Ｄｉｇｉｔａｌ  ｔｏ  Ａｎａｌｏｇ）コンバータの制御信号と出力電圧の関係を示す図（制御信号が４ビットのときの例）である。
【図４】電圧制御発振器（ＶＣＯ：  Ｖｏｌｔａｇｅ  Ｃｏｎｔｒｏｌｌｅｄ  Ｏｓｃｉｌｌａｔｏｒ）の制御電圧と出力周波数の関係を示す図である。
【図５】実施の形態１における動作を示すフローチャート図である。
【図６】実施の形態２における動作を示すフローチャート図である。
【図７】実施の形態３における構成を示す図である。
【符号の説明】
１  フレーム同期検出部、２  クロック制御部、３  クロック分周制御部、４クロック供給部、５  クロック分周部、６  同期情報保持部、７  光受信器。
【図１】
2004201119.tif 000003
【図２】
2004201119.tif 000004
【図３】
2004201119.tif 000005
【図４】
2004201119.tif 000006
【図５】
2004201119.tif 000007
【図６】
2004201119.tif 000008
【図７】
2004201119.tif 000009